(57)【要約】【課題】介護度に応じて、利用可能日を検索することを目的と示する。【解決手段】介護施設検索システムにおいて、介護施設検索の予約状況に関する介護施設予約情報を有する検索データベース１０と、ユーザから利用日が与えられた場合、介護施設情報に基づいて、利用の可否を示す情報を付加して介護施設を選出する検索制御部１２と、ユーザの指定した予約の可否条件に基づいて、検索制御部１２が選出した介護施設の情報を表示するマッピング制御部１４と、複数の条件が与えられた場合、利用可能な介護施設を表示し、介護度に応じた一覧表示を行う第２のマッピング制御部１６と、を備えたことを特徴とする。【選択図】図１
2014225213.tif 000002
【特許請求の範囲】
【請求項１】
介護施設検索システムにおいて、介護施設検索の予約状況に関する介護施設予約情報を有する検索データベースと、ユーザから利用日が与えられた場合、介護施設情報に基づいて、利用の可否を示す情報を付加して介護施設を選出する検索制御部と、ユーザの指定した予約の可否条件に基づいて、検索制御部が選出した介護施設の情報を表示するマッピング制御部と、複数の条件が与えられた場合、利用可能な介護施設を表示し、介護度に応じた一覧表示を行う第２のマッピング制御部と、を備えたことを特徴とする介護施設検索システム。
【発明の詳細な説明】
【技術分野】
【０００１】  本発明は、ユーザが利用する利用予定日を条件として介護度に応じた、介護施設の候補を選出するようにした介護施設検索システムに関する。
【背景技術】
【０００２】  近年、インターネットの普及に伴い、インターネット上で介護施設の検索を行う種々のＷｅｂサイトが存在する。
このようなＷｅｂサイトでは、ユーザは、先ず、候補となる介護施設のエリア（地域）を選択し、更に、その他の希望する条件を与え、これら条件を満たす介護施設を選出する操作を行っていた。この操作とは別に、ユーザは、選出した介護施設の利用可能日を特定していた。この介護施設の種類及び利用可能日が特定されると、ユーザは、他の介護施設情報サイトや個別に問い合わせをするなどして、利用状況と利用可能日を認識していた。【０００３】  上述のようなユーザの行動に応じる例として、種々の条件に基づいて介護施設を検索し、その施設の概要選出を同一のＷｅｂサイト上で行うようにしたものもあった。
しかしながら、上記のような従来のシステムでは、ユーザは、介護施設の種類を選出することにより、介護施設を選出していた。即ち、介護施設を画面上で認識するという一連の工程には何ら変化が無かった。
ユーザにとって、例えば、要介護者にとって介護施設選出は非常に重要な要素である。また、緊急性の高い場合、利用可能日も重要な要素である。【０００４】  このように、介護施設検索はユーザにとって非常に重要な要素であるにもかかわらず、従来は、介護施設を認識するため、折角選出した介護施設であっても、日付と介護度の概念がないため、施設側の利用可能日を許容することができず、その介護施設への利用を諦め、新たに介護施設を選出し直すという作業を繰り返さなければならない事態が生じていた。
【課題を解決するための手段】
【０００５】  本発明は、ユーザが利用する希望日の範囲で介護施設を選出することができ、介護度に応じて、利用可能日を検索するシステムを有する。
〈構成１〉
介護施設の位置情報を有する検索データベースと、ユーザの住んでいる地域、利用希望日、介護度が与えられた場合、適応する介護施設を表示し、その介護施設の利用案内まで詳細表示させるシステム。
【０００６】〈構成２〉
構成１に記載の介護施設検索システムにおいて、ユーザが指定する各条件に対応した情報を有する検索データベースと、各条件におけるいずれかの条件が与えられた場合、その条件に適合した介護施設を選出する検索制御部とを備えたことを特徴とするシステム。
【０００７】〈構成３〉
構成１または２に記載の介護施設検索システムにおいて、選出された介護施設の位置を地図上に表示するマッピング制御部を備えたことを特徴とするシステム。
【０００８】〈構成４〉
利用可能日を表示し、介護度に応じた、受け入れ可能な施設を検索できることを特徴とするシステム。
【０００９】〈構成５〉
構成１または２に記載の介護施設検索システムにおいて、複数の条件が与えられた場合、利用可能な介護施設を表示し、介護度に応じた一覧表示を行うマッピング制御部を備えたことを特徴とするシステム。
【００１０】〈構成６〉
構成１〜５のいずれかに記載の介護施設検索システムにおいて、利用可能な施設を地図上に表示することを特徴とする。
【００１１】〈構成７〉
構成６に記載の介護施設検索システムにおいて、介護施設検索の予約状況に関する介護施設予約情報を有する検索データベースと、ユーザから利用日が与えられた場合、介護施設情報に基づいて、利用の可否を示す情報を付加して介護施設を選出する検索制御部と、ユーザの指定した予約の可否条件に基づいて、検索制御部が選出した介護施設の情報を表示するマッピング制御部とを備えたことを特徴とするシステム。
【発明の効果】
【００１２】  本発明によれば、利用可能日、介護度という条件で、検索することができるため、従来のように特定のエリアに限定してから介護施設を特定するのではなく、広範囲なエリアの目的地を候補とすることができる。このためユーザは、想定していなかった介護施設を認識する機会が得られ、更に、利用予定日を許容できずに新た介護施設を選択し直すという作業から開放される。
【００１３】  また、所要時間の条件に加えて種々の条件により検索することができるので、よりユーザの希望する条件を満足させるような介護施設を選出することができる。
【００１４】  また、候補となる介護施設の現在状況を表示するようにしたので、ユーザは介護施設の雰囲気を直感的に視認することができ、しかも、ユーザは、先入観に捕らわれずに広範囲なエリアから目的地を選択することができる。更に介護度に応じた利用可能日の表示といった場合、ユーザによる介護施設の比較も容易に行うことができる。
【００１５】  また、複数の条件の満足度に応じた介護施設の一覧表示を行うようにしたので、ユーザは、各介護施設がどの程度条件を満足しているかを容易且つ正確に知ることができる。
【００１６】  また、介護施設検索とその予約処理とリンクさせるようにしたので、例えば、地図上に目的地の位置を表示する場合も、予約の可／不可によって異なる表示とする、といったことが実現でき、ユーザにとって予約処理を行う上での負担を軽減することができる。
【図面の簡単な説明】
【００１７】
【図１】本発明に係る介護施設検索システムの構成図である。
【発明を実施するための形態】
【００１８】  以下、本発明の実施の形態を詳細に説明する。
【実施例１】
【００１９】  図１は、本発明に係る介護施設検索システムシステム１００を適用したシステム構成図である。【００２０】  介護施設の位置情報を有する検索データベース１０と、ユーザの住んでいる地域、利用希望日、介護度が与えられた場合、適応する介護施設を表示し、その介護施設の利用案内まで詳細表示させることを特徴とする。【００２１】  構成１に記載の介護施設検索システムにおいて、ユーザが指定する各条件に対応した情報を有する検索データベース１０と、各条件におけるいずれかの条件が与えられた場合、その条件に適合した介護施設を選出する検索制御部１２とを備えたことを特徴とする。【００２２】  構成１または２に記載の介護施設検索システムにおいて、選出された介護施設の位置を地図上に表示するマッピング制御部１４を備えたことを特徴とする。【００２３】  利用可能日を表示し、介護度に応じた、受け入れ可能な施設を検索できることを特徴とする。【００２４】  構成１または２に記載の介護施設検索システムにおいて、複数の条件が与えられた場合、利用可能な介護施設を表示し、介護度に応じた一覧表示を行う第２のマッピング制御部１６を備えたことを特徴とするシステム。【００２５】  構成１〜５のいずれかに記載の介護施設検索システムにおいて、利用可能な施設を地図上に表示することを特徴とする。【００２６】  構成６に記載の介護施設検索システムにおいて、介護施設検索の予約状況に関する介護施設予約情報を有する検索データベース１０と、ユーザから利用日が与えられた場合、介護施設情報に基づいて、利用の可否を示す情報を付加して介護施設を選出する検索制御部１２と、ユーザの指定した予約の可否条件に基づいて、検索制御部１２が選出した介護施設の情報を表示するマッピング制御部１４とを備えたことを特徴とする。
【産業上の利用可能性】
【００２７】  また、上記具体例において、複数のユーザの選出ランキングといった種々の情報分析にも寄与することができる。
【符号の説明】
【００２８】１０    データベース
１２    検索制御部
１４    マッピング制御部
１２    第二のマッピング制御部
索制御部
【図１】
2014225213.tif 000003